(57)【特許請求の範囲】
【請求項１】
冷凍室の内部に設けられて、冷凍室の内部の空気を冷却して冷凍室の内部に循環させる冷凍機と、区画壁により前記冷凍室と区分けされた状態で前記冷凍室に隣接する前室と、前記冷凍室と前記前室とに亘って設定された移動経路に沿って移動して前記冷凍室の内部に物品を搬入しかつ冷凍室の内部から物品を搬出する搬送装置と、前記冷凍機及び前記搬送装置の作動を制御する制御部が設けられた自動冷凍倉庫であって、
前記区画壁に前記搬送装置が通過するための通過用開口が形成され、
前記冷凍機は、前記冷凍室内において前記移動経路の経路横幅方向で異なる位置において前記移動経路に沿う状態で配置され、
前記搬送装置により前記冷凍室に搬入される物品が水分が付着している又は含有されている常温物を保持する常温物保持体であり、
前記制御部が、
前記物品を搬入するべく前記搬送装置の作動を制御する常温物搬入処理、
搬入された物品を凍結させるべく前記冷凍機の作動を制御する常温物凍結処理、及び、
凍結した物品を搬出するべく前記搬送装置の作動を制御する凍結物搬出処理を実行するように構成され、
前記冷凍機に付着した霜を融解させる融解装置が設けられ、
前記制御部が、前記常温物凍結処理を実行したことにより前記冷凍機に付着した霜を融解させて除去するべく前記融解装置の作動を制御する霜取処理を実行するように構成され、
前記前室に、前記前室の内部の空気を除湿する前室用空調装置が設けられ、
前記区画壁に、前記前室と前記冷凍室とを連通させる連通用開口が形成され、
前記前室用空調装置は、前記連通用開口の近傍に位置する箇所に設けられ、
前記制御部が、前記霜取処理を実行するときに、前記前室内部の空気を除湿するべく、前記前室用空調装置の作動を制御し、
前記連通用開口は、前記通過用開口を兼用し、
前記搬送装置が、前記移動経路に沿って走行自在でかつ昇降マストが立設された走行台車と前記昇降マストに沿って昇降自在な昇降台とを備えたスタッカークレーンにて構成され、
前記通過用開口は、前記スタッカークレーンの走行方向視にて、その上下方向の下側部分を物品支持状態の前記昇降台が通過自在な幅広部とし、残りの部分をその幅広部よりも狭い幅狭部として形成され、
前記通過用開口の下側部分を通して、空気が前記冷凍室の内外に通流することを抑制する空気通流抑制装置が設けられ、
前記前室用空調装置が、前記幅狭部の高さに対応して設置されている自動冷凍倉庫。
【請求項２】
前記移動経路が、平面視において前記移動経路と前記冷凍機の並び方向で前記前室の中央からずれた位置に設定され、
前記前室用空調装置は、平面視において前記移動経路と前記冷凍機の並び方向で前記前室の中央から前記移動経路側にずれた位置に配設されている請求項１記載の自動冷凍倉庫。
【発明の詳細な説明】
【技術分野】
【０００１】
本発明は、冷凍室の内部に設けられて、冷凍室の内部の空気を冷却して冷凍室の内部に循環させる冷凍機と、区画壁により前記冷凍室と区分けされた状態で前記冷凍室に隣接する前室と、前記冷凍室と前記前室とに亘って設定された移動経路に沿って移動して前記冷凍室の内部に物品を搬入しかつ冷凍室の内部から物品を搬出する搬送装置と、前記冷凍機及び前記搬送装置の作動を制御する制御部が設けられた自動冷凍倉庫に関する。
【背景技術】
【０００２】
上記自動冷凍倉庫の従来例として、前室と冷凍室との間に亘って搬送装置を走行させるために区画壁に通過用開口を形成し、この通過用開口における空気の通流を抑制する通流抑制手段を備えたものがある（例えば、特許文献１参照。）。
特許文献１では、通過用開口における上下方向の全体に亘って冷凍室（空調対象空間）の空気が前室に通流しないようにして、通過用開口を通して冷凍室の空気が前室に漏れ出ることを極力防止し、冷凍室の気温を維持しやすくしている。
【先行技術文献】
【特許文献】
【０００３】
【特許文献１】特開２００９−２０８８９７号公報
【発明の概要】
【発明が解決しようとする課題】
【０００４】
上記特許文献１のように、通過用開口における上下方向の全体に亘って冷凍室の空気が前室に通流しないようにすると、冷凍室内部で発生した水蒸気が冷凍室内に滞留し、冷凍室の内壁や各種設備に霜や氷として付着して、設備の運転に不都合をもたらすおそれがある。
すなわち、水分が付着している又は含有されている常温物を冷凍室に搬入して凍結させる場合、凍結処理対象の常温物を冷凍室で凍結させるときに、冷凍室内で多量の水蒸気が発生し冷凍機に多量の霜が付着する。そのため、凍結した常温物を搬出した後次の常温物の凍結を適切に行うためには冷凍機に付着した霜を取り除く必要がある。従来から、例えば、プラス２０度の水を散布する等して霜を融解させて、冷却装置に付着した霜を取り除くのであるが、この霜取処理を行ったときに極低温（例えばマイナス３５度）の冷凍室内に比較的温かい水が散布されると多量の湯気乃至水蒸気が発生する。湯気乃至水蒸気は冷凍室の内壁や各種設備に露として付着する。そして、そのまま次の常温物の凍結を行うと、露に起因する雫が霜や氷として設備に付着することになる。
従来では、鮮魚等の水分が付着している又は含有されている常温物を凍結させる設備では、常温物を冷凍室に搬入及び搬出する作業を作業者が有人フォークリフトを使って処理していたため、霜取処理で発生する湯気や水蒸気に起因して設備に霜や氷が付着しても、冷凍機さえ正常に機能しておれば設備の運用上の問題とはならない。
しかしながら、例えば、スタッカークレーン等の搬送装置を用いて凍結物対象の常温物を搬出入するシステムを構成しようとすると、霜取処理で発生する湯気や水蒸気に起因してスタッカークレーンの案内レールに霜や氷が付着してしまうと、搬送措置の車輪がスリップしたり異常な振動が発生したりして、正常な搬送動作が行えないおそれがあるため問題となる。
【０００５】
本発明は上記実状に鑑みて為されたものであって、その目的は、水分が付着している又は含有されている常温物を凍結させる場合に、冷凍室に水蒸気が篭り難い自動冷凍倉庫を提供する点にある。
【課題を解決するための手段】
【０００６】
この目的を達成するために、本発明に係る自動冷凍倉庫の第１特徴構成は、
冷凍室の内部に設けられて、冷凍室の内部の空気を冷却して冷凍室の内部に循環させる冷凍機と、区画壁により前記冷凍室と区分けされた状態で前記冷凍室に隣接する前室と、前記冷凍室と前記前室とに亘って設定された移動経路に沿って移動して前記冷凍室の内部に物品を搬入しかつ冷凍室の内部から物品を搬出する搬送装置と、前記冷凍機及び前記搬送装置の作動を制御する制御部が設けられた自動冷凍倉庫において、
前記区画壁に前記搬送装置が通過するための通過用開口が形成され、
前記冷凍機は、前記冷凍室内において前記移動経路の経路横幅方向で異なる位置において前記移動経路に沿う状態で配置され、
前記搬送装置により前記冷凍室に搬入される物品が水分が付着している又は含有されている常温物を保持する常温物保持体であり、
前記制御部が、
前記物品を搬入するべく前記搬送装置の作動を制御する常温物搬入処理、
搬入された物品を凍結させるべく前記冷凍機の作動を制御する常温物凍結処理、及び、
凍結した物品を搬出するべく前記搬送装置の作動を制御する凍結物搬出処理を実行するように構成され、
前記冷凍機に付着した霜を融解させる融解装置が設けられ、
前記制御部が、前記常温物凍結処理を実行したことにより前記冷凍機に付着した霜を融解させて除去するべく前記融解装置の作動を制御する霜取処理を実行するように構成され、
前記前室に、前記前室の内部の空気を除湿する前室用空調装置が設けられ、
前記区画壁に、前記前室と前記冷凍室とを連通させる連通用開口が形成され、
前記前室用空調装置は、前記連通用開口の近傍に位置する箇所に設けられ、
前記制御部が、前記霜取処理を実行するときに、前記前室内部の空気を除湿するべく、前記前室用空調装置の作動を制御し、
前記連通用開口は、前記通過用開口を兼用し、
前記搬送装置が、前記移動経路に沿って走行自在でかつ昇降マストが立設された走行台車と前記昇降マストに沿って昇降自在な昇降台とを備えたスタッカークレーンにて構成され、
前記通過用開口は、前記スタッカークレーンの走行方向視にて、その上下方向の下側部分を物品支持状態の前記昇降台が通過自在な幅広部とし、残りの部分をその幅広部よりも狭い幅狭部として形成され、
前記通過用開口の下側部分を通して、空気が前記冷凍室の内外に通流することを抑制する空気通流抑制装置が設けられ、
前記前室用空調装置が、前記幅狭部の高さに対応して設置されている点にある。
【０００７】
本特徴構成によれば、常温物搬入処理により、搬送装置が区画壁の通過用開口を通過しながら前室と冷凍室とに亘る移動経路に沿って走行移動して、水分が付着している又は含有されている常温物が冷凍室の所定の凍結処理領域に搬入される。そして、常温物凍結処理により凍結させたのち、凍結物搬出処理により凍結された物品が搬出される。常温物凍結処理では、水分が付着している又は含有されている常温物から発生する水蒸気や前室側から流入する空気に含まれる水蒸気に起因して、冷凍機に霜が付着するため、霜取処理を実行して、次の常温物凍結処理に備える。霜取処理では、融解装置により冷凍機に付着した霜が融解され、これにより冷凍室内の空気よりも高温の水蒸気が発生する。
【０００８】
前室には、前室の内部の空気を除湿する前室用空調装置が設けられており、区画壁には、前室と冷凍室とを連通させる連通用開口が形成され、前室用空調装置は、この連通用開口の近傍に位置する箇所に設けられているので、前室用空調装置は、その近傍に位置する連通用開口から拡散して前室に流入してくる冷凍室の水蒸気を除湿することができる。
特に、前室用空調装置が吸引作用を伴う場合は、前室内に気流を発生させることができ、前室用空調装置の近傍に位置する連通用開口を通して冷凍室から前室に吸引することも可能であり、冷凍室内の水蒸気を効果的に前室内に吸引することができる。
そして、前室内における水蒸気は前室用空調装置により除湿されるため、冷凍室の水蒸気を冷凍室内に篭らせることなく除湿させることができる。
このように、水分が付着している又は含有されている常温物を凍結させる場合に、冷凍室に水蒸気が篭り難い自動冷凍倉庫を得るに至った。
そして、連通用開口は、通過用開口を兼用することで、通過用開口と連通用開口とを区画壁に各別に形成する必要がないので、区画壁の構成の簡素化を図ることができる。
また、本特徴構成によれば、通過用開口の下方側を幅広部とし上方側を幅狭部とすることで、スタッカークレーンの昇降台が例えば下限位置に位置している場合には通過用開口を通過できるようにしつつ、通過用開口の面積を極力小さくして、常温物凍結処理を実行する際に冷凍室の冷気が前室に漏出しないようにしている。しかも、空気通流抑制装置により通過用開口の下側部分を通して空気が冷凍室の内外に通流することが抑制されるので、冷凍室に存在する水蒸気は、通過用開口の上側に位置する幅狭部から通流する。そして、前室用空調装置が、幅狭部の高さに対応して設置されているので、幅狭部から通流する冷凍室に存在する水蒸気を前室用空調装置にて適確に除湿することができる。
【０００９】
本発明に係る自動冷凍倉庫の第２特徴構成は、前記移動経路が、平面視において前記移
動経路と前記冷凍機の並び方向で前記前室の中央からずれた位置に設定され、前記前室用空調装置は、平面視において前記移動経路と前記冷凍機の並び方向で前記前室の中央から前記移動経路側にずれた位置に配設されている点にある。
【００１０】
本特徴構成によれば、前室用空調装置は、平面視において移動経路と冷凍機の並び方向で前室の中央から移動経路側にずれた位置に配設されるので、前室用空調装置は、平面視において移動経路と冷凍機の並び方向において移動経路の近傍に位置する。連通用開口は、移動経路と区画壁の交差箇所であるので、前室用空調装置は、連通用開口の近傍に位置することになる。
【図面の簡単な説明】
【００１３】
【図１】凍結自動倉庫の横断平面図
【図２】凍結自動倉庫の縦断側面図
【図３】鮮魚保持体の斜視図
【図４】凍結自動倉庫の冷却空気の循環の様子を示す縦断正面図
【図５】凍結自動倉庫の前室から冷凍室側を見た縦断正面図
【図６】制御ブロック図
【図７】上部レール及び下部レール並びにそれらのレールヒータの斜視図
【図８】凍結処理のフローチャート（その１）
【図９】凍結処理のフローチャート（その２）
【図１０】別実施形態に係る凍結自動倉庫の横断平面図
【図１１】別実施形態に係る凍結自動倉庫の冷却空気の循環の様子を示す縦断正面図
【図１２】別実施形態に係る凍結自動倉庫の横断平面図
【発明を実施するための形態】
【００１４】
〔第１実施形態〕
本発明に係る自動冷凍倉庫の実施形態を図面に基づいて説明する。本実施形態の自動冷凍倉庫は、漁港やその近隣に設けられて、漁港に水揚げされて魚種及び大きさに基づき選別された大小各種の鮮魚をマイナス３５度程度の冷気で凍結させる凍結自動倉庫Ｓである。凍結自動倉庫Ｓにて凍結された鮮魚は出荷まで冷凍倉庫にて保存される。
【００１５】
図１に示すように、凍結自動倉庫Ｓは、断熱性材料を使用して構成された外壁にて外部から遮断された冷凍室１及びこれに隣接する前室２を備えている。冷凍室１と前室２との間には区画壁３が設けられており、倉庫外部の空気が冷凍室１に直接進入することを防止するとともに、冷凍室１で凍結処理が行われるときに後述するスタッカークレーンＴが凍結用の冷気に直接晒されないように、前室２にて待機できるようになっている。
【００１６】
凍結自動倉庫Ｓには、スタッカークレーンＴの移動経路Ｌが、冷凍室１の内外に亘って直線状に設定されており、スタッカークレーンＴは、移動経路Ｌに沿って冷凍室１の内部及び外部に亘って移動して、冷凍室１の内部に物品Ｂを搬入しかつ冷凍室１の内部から物品Ｂを搬出するように構成されており、本発明の搬送装置に相当する。区画壁３には、スタッカークレーンＴを通過させるための開口４が形成されている。
【００１７】
前室２には、凍結自動倉庫Ｓの外部との間で物品Ｂを授受するための入出庫コンベヤ５が入出庫口６の外部まで延びる状態で設けられている。前室２の内部には、前室２の空調を行う前室用空調装置７の室内機８が天井近くの高さに設けられている（図５参照）。前室用空調装置７の室外機９は凍結自動倉庫Ｓの外部に設置されている。凍結処理を実行中において前室２はマイナス２５度前後となる。前室用空調装置７の作動は前室空調コントローラＨ５（図６参照）により制御される。
【００１８】
冷凍室１の内部には、冷凍室１の内部の空気を冷却して冷凍室１の内部に循環させる冷凍機３１が設けられ、冷凍室１の内部に設定された凍結処理領域１０に存在する物品Ｂを凍結させる。本実施形態では、凍結処理領域１０には、物品Ｂを収納する収納部１１を縦横に備えた物品収納棚１２が設置されている。物品収納棚１２は、床面に立設された複数の支柱とこれらの支柱を連結する水平材や斜行材とを組み付けて構成されており、支柱に水平姿勢で設けられた一対の腕木にて物品Ｂを収納する収納部１１が形成される。本実施形態では、物品収納棚１２は棚奥行き方向に収納部１１を２個配列したいわゆるダブルディープ構造の棚となっている。スタッカークレーンＴは、収納部１１に物品Ｂを収納することで、移動経路Ｌに沿って設定された凍結処理領域１０において物品Ｂが移動経路Ｌに沿って並ぶように物品Ｂを搬送することになる。
【００１９】
本実施形態では物品Ｂは、常温物を保持する常温物保持体であり、さらに具体的には、常温物保持体は、常温物としての鮮魚Ｆを保持する鮮魚保持体Ｂである。鮮魚保持体Ｂは、図３に示すように、ステンレス鋼等で構成された枠体１３に水平方向に沿う複数の桟１５を上下方向に多段に組みつけて複数段の棚部１４が形成されたラックＲ、及び、海水等の水分が付着した鮮魚Ｆを収容した状態でラックＲの棚部１４に載置支持されるトレーＰとで構成される。
【００２０】
スタッカークレーンＴは、冷凍室１の床面に設けられた走行レール１７に沿って走行する走行台車１８と、走行台車１８に走行方向間隔を空けて立設された前後一対の昇降マスト１９に沿って昇降し、かつ、スライドフォーク装置を出退自在に備えて収納部１１との間で鮮魚保持体Ｂを移載自在な移載装置２１が装備された昇降台２０と、を備えて物品収納棚１２の収納部１１に対して鮮魚保持体Ｂを搬出入する。なお、移動経路Ｌの両端部のうち、入出庫コンベヤ５が設けられている側の端部をホームポジションＨＰといい、ホームポジションＨＰと反対側の端部をオポジットポジションＯＰという。
【００２１】
スタッカークレーンＴは、物品収納棚１２における棚奥行き方向に並ぶ収納部１１のうち、手前側に位置する収納部１１との間で鮮魚保持体Ｂを移載するときは、移載装置２１のスライドフォーク装置を手前用出退量だけ突出させ、奥側の収納部１１との間で鮮魚保持体Ｂを移載するときは、移載装置２１のスライドフォーク装置を手前用出退量よりも収納部１１の奥行き方向の長さだけ長い奥用出退量だけ突出させる。スタッカークレーンＴの作動はクレーンコントローラＨ２（図６参照）により制御される。クレーンコントローラＨ２とスタッカークレーンＴとを接続する制御ケーブルやスタッカークレーンＴに動作用の電力を供給する電力ケーブルはケーブルガイドに収容されており、スタッカークレーンＴの移動に伴って移動経路Ｌと平行なガイド配設経路に沿うように案内される。
【００２２】
図２に示すように、前後一対の昇降マスト１９の上端部は上部フレーム１６にて連結され、上部フレーム１６は複数のガイドローラを備えており、これらのガイドローラを介して物品収納棚１２の上端部に天井に支持されている。
【００２３】
図７に示すように、上部レール２２及び走行レール１７には、帯状のテープヒータにて構成されたレールヒータ２３が取り付けられている。図７（ａ）に示すように、上部レール２２は、スタッカークレーンＴの走行方向視で立て姿勢の板状部材にて構成され、両側面に形成された案内面の一方における上部領域に上部レールヒータ２４が貼付されている。図７（ｂ）に示すように、走行レール１７は、スタッカークレーンＴの走行方向視で断面Ｉ字状の長尺部材にて構成され、上面に形成された案内面を備えた案内部分と、床面に取り付けるための取り付け部分との間に位置する中間部分の両側面に下部レールヒータ２５が貼付されている。上部レールヒータ２４及び下部レールヒータ２５の作動はヒーターコントローラＨ３にて制御される。
【００２４】
前室２と冷凍室１とを仕切る区画壁３は、移動経路Ｌの途中箇所に設けられている。この区画壁３よりホームポジションＨＰ側の空間が前室であり、区画壁３よりオポジットポジションＯＰ側の空間が冷凍室１である。
【００２５】
区画壁３には、クレーン通過用の縦長の開口４が形成されている。開口４は、スタッカークレーンＴの走行方向視にて、その上下方向の一部分である下部（本実施形態では、床上高さ８ｍまでの部分）を、鮮魚保持体Ｂを移載装置２１に載置支持した状態の昇降台２０が通過できるように幅広部２７とし、残りの部分（本実施形態では、床上高さ８ｍ〜１８ｍの部分）をその幅広部２７よりも狭い幅狭部２６として形成されている。幅広部２７の両側部には、開口４を通して空気が冷凍室１の内外に通流することを抑制する空気通流抑制装置としてエアカーテン３０が設けられている。
【００２６】
エアカーテン３０は、開口４を通して空気が冷凍室１の内外に通流することを抑制することで、開口４から冷気が流出して冷凍室１の凍結処理効率が低下することを防止するともに、冷凍機３１の霜取り処理を行うときに冷凍室１の内部で発生する多湿空気を、前室２における前室用空調装置７にて、幅狭部２６を通過させて効果的に前室２側に吸引できるようにするものである。
【００２７】
開口４の幅広部２７の横幅はスタッカークレーンＴの昇降台２０の横幅に対応した寸法で、開口４の幅狭部２６の横幅は昇降マスト１９の横幅に対応した寸法である。なお、スタッカークレーンＴの上部フレーム１６の周辺構造の横幅は、昇降マスト１９の横幅よりも大きくなっているため、幅狭部２６の上端部の横幅は昇降マスト１９の横幅に対して余裕のある寸法となっている。
【００２８】
エアカーテン３０は、横流対向多層式のエアカーテンにて構成されている。説明を加えると、エアカーテン３０は、幅広部２７の両横脇に幅広部２７の高さ方向に沿って略等間隔に設置された複数のエアカーテンユニット２８にて構成されている。
幅広部２７の両横脇の各エアカーテンユニット２８は、開口４の横方向の左右で対を成すように区画壁３における取り付け高さを一致させてある。そして、左右それぞれのエアカーテンユニット２８が互いに相手側に向けて空気を噴出することで、移動経路Ｌの横幅方向で幅広部２７の外側から内側に向かう水平方向の気流が形成され、この気流により、開口４の幅広部２７を通して空気が冷凍室１の内外に通流することを抑制するようになっている。エアカーテン３０の作動はエアカーテンコントローラＨ４（図６参照）により制御される。
【００２９】
なお、エアカーテンユニット２８は、区画壁３の壁面に沿った噴き出し方向である主流と、この主流の噴き出し方向よりも冷凍室１の外側に若干傾いた噴き出し方向である副流との２つの噴き出し方向にて空気を噴出することができるものが好ましい。副流により外気風の遮断効果が大きくなり、内外空気の通流を効果的に抑制できる。
【００３０】
冷凍機３１は、図１に示すように、移動経路Ｌに沿って列を成す状態でかつその列が平面視で凍結処理領域１０と移動経路Ｌの横幅方向で並ぶ状態で複数台（本実施形態では３台）設置されている。図２に示すように凍結自動倉庫Ｓは床下に断熱材３２が敷設されており、図４に示すように、冷凍機３１は、断熱材３２の上層に形成された床部に設置される基台３３と、この基台３３に立設された熱交換部３４と、熱交換部３４の上部に設けられた横軸心周りで回転する循環気流生成用の送風ファン３５とを備えている。
【００３１】
図４に示すように、冷凍機３１は、熱交換部３４及び送風ファン３５を作動させることで、冷凍室１の内部の空気を熱交換部３４にて冷却して冷却された空気を冷凍室１の内部に循環させる。送風ファン３５は、移動経路Ｌに沿う方向に複数台設けられている。これにより、送風ファン３５の設置高さにおいて移動経路Ｌの横幅方向で冷凍機３１から移動経路Ｌに向かう方向（図４で紙面左から右に向かう方向）に流動する気流を凍結処理領域１０の移動経路Ｌに沿う方向の全範囲に亘って、極力均等に形成するようにしている。
【００３２】
凍結処理領域１０の上方空間には、スタッカークレーンＴの移動方向視で、冷凍機３１が冷却した冷却空気を、凍結処理領域１０の冷凍機３１が存在する一方側と凍結機が３１存在しない他方側との間で通流させる上部流路３６が形成されている。本実施形態では、上部流路３６は、凍結自動倉庫Ｓの天井形成部と、凍結処理領域１０に設置されている物品収納棚１２の上部に取り付けられた流路形成用の天井パネル３７とに挟まれた、移動経路Ｌの長手方向に並行に延在する空間にて構成されている。冷凍機３１は、スタッカークレーンＴの移動方向視で、上部流路３６を通流した冷却空気を、凍結処理領域１０の冷凍機３１の非存在側（他方側）から冷凍機３１の存在側（一方側）に向けて凍結処理領域１０内を通流させる形態で、冷凍室１の内部の空気を循環させる。冷凍機３１及び送風ファン３５の作動は冷凍機コントローラＨ１（図６参照）により制御される。
【００３３】
冷凍室１の内部には、冷凍機３１に付着した霜、特に熱交換部３４に付着した霜を融解させて取り除くための水を散布する散水装置３８が設けられている。散水装置３８は、融解装置として機能する。散水装置３８が散布する水は、プラス２０度程度である。散水装置３８は、複数の散水ノズル３９を備えており、複数の散水ノズル３９は、冷凍機３１を挟んで空気流動方向で上流側及び下流側の両側において、冷凍機３１の並び方向すなわち移動経路Ｌの長手方向に沿って間隔を空けて配設されている。図示は省略するが、冷凍機３１を挟んで空気流動方向で上流側及び下流側の両側に、複数の散水ノズル３９に散水用の水を供給する供給管が配設されており、散水ノズル３９はこの供給管に支持されている。
【００３４】
凍結処理領域１０と上部流路３６とを区画する天井パネル３７は、図４に示すように、スタッカークレーンＴの移動経路Ｌから遠い箇所ほど低くなるように形成されている。冷凍機３１に付着した霜を除去する霜取り作業を行う場合には、散水装置３８から常温水を冷凍機３１に散布するので、湯気が発生するとともに、比較的高温の多湿冷気が冷凍室１内に充満することになる。そして、この多湿空気が低温の天井パネル３７に触れることで結露による水滴が天井パネル３７に付着することになる。
【００３５】
天井パネル３７は、スタッカークレーンＴの移動経路Ｌから遠い箇所ほど低くなるように形成されているので、霜取り時に発生する結露による水滴は天井パネル３７の下面を伝って冷凍機３１に向かって流動させることができ、結露による水滴が雫となって移動経路Ｌに落下し走行レール１７上に水滴が付着することを防止できる。なお、万が一、走行レール１７に雫が滴下しても、下部レールヒータ２５にて加熱されて蒸発するので、次の凍結処理でレール表面に氷が付着してしまうという問題を回避できる。
【００３６】
凍結自動倉庫Ｓには、倉庫全体の運転を管理する管理コントローラＨＣが設けられている。図示は省略するが、管理コントローラＨＣ、及び、これに通信自在に接続される各種コントローラ（図７参照）は、凍結自動倉庫Ｓの前室２の入出庫口６の横脇位置等の作業者が操作できる外部の常温環境に設置されている。図６に示すように、管理コントローラＨＣは、作業者により人為指令操作される搬入指令スイッチＳＷ１、凍結スイッチＳＷ２、搬出指令スイッチＳＷ３、霜取スイッチＳＷ４を備えている。
【００３７】
作業者により搬入指令スイッチＳＷ１が指令操作されると、管理コントローラＨＣは、クレーンコントローラＨ２に搬入指令を指令し、以後、クレーンコントローラＨ２は、入出庫コンベヤ５に鮮魚保持体Ｂが投入されると、物品収納棚１２の収納部１１に鮮魚保持体Ｂを搬入するべく、スタッカークレーンＴの作動を制御する常温物搬入処理を実行する。クレーンコントローラＨ２は、入出庫コンベヤ５の作動も制御して、スタッカークレーンＴと入出庫コンベヤ５とを連係させて鮮魚保持体Ｂを凍結自動倉庫Ｓの外部から物品収納棚１２の収納部１１に順次搬入する。
【００３８】
なお、入出庫コンベヤ５に対する鮮魚保持体Ｂの投入は、例えば、作業者が有人フォークリフトを運転して行ってもよいし、入出庫コンベヤ５まで鮮魚保持体Ｂを搬送する搬送コンベヤ等の別の搬送装置にて行ってもよい。これにより、凍結処理対象の鮮魚保持体Ｂが凍結自動倉庫Ｓの外部から順次収納部１１に搬入されることになる。
【００３９】
作業者により凍結スイッチＳＷ２がオン操作されると、管理コントローラＨＣは、クレーンコントローラＨ２に退避指令を指令し、これによりクレーンコントローラＨ２がスタッカークレーンＴをホームポジションＨＰに移動させて前室２に退避させる退避処理を実行する。クレーンコントローラＨ２は退避処理の実行を完了すると退避完了情報をクレーンコントローラＨ２に送信する。管理コントローラＨＣは、クレーンコントローラＨ２から退避完了情報を受信すると、エアカーテンコントローラＨ４に噴出作動開始指令を指令するとともに、冷凍機コントローラＨ１に凍結開始指令を指令する。以後、エアカーテンコントローラＨ４は、エアカーテン３０を噴出作動させた状態を維持するとともに、冷凍機コントローラＨ１は、鮮魚Ｆを保持した状態で収納部１１に収納されている鮮魚保持体Ｂを凍結させるべく、冷凍機３１を作動させる常温物凍結処理を実行する。これにより、図４に示すように、冷凍室１の内部の空気が冷却されて冷凍室１の内部に循環され、鮮魚Ｆが凍結されることになる。
【００４０】
管理コントローラＨＣが備えるタイマー機能により管理コントローラＨＣが凍結作動指令を指令してからの経過時間が鮮魚Ｆの凍結に必要な凍結処理用の設定時間に達したか否かを判断し、設定時間に達していれば、エアカーテン３０の作動を停止させる噴出停止指令を指令するとともに、常温物凍結処理の実行を停止させる凍結終了指令を指令する。これにより、エアカーテンコントローラＨ４は、エアカーテン３０の作動を停止させるとともに、冷凍機コントローラＨ１は、冷凍機３１の作動を停止させる。
【００４１】
作業者により搬出指令スイッチＳＷ３が指令操作されると、管理コントローラＨＣは、クレーンコントローラＨ２に搬出指令を指令し、以後、クレーンコントローラＨ２は、凍結した鮮魚Ｆを保持する鮮魚保持体Ｂを搬出するべく、スタッカークレーンＴの作動を制御する凍結物搬出処理を実行する。クレーンコントローラＨ２は、スタッカークレーンＴと入出庫コンベヤ５とを連係させて物品収納棚１２の収納部１１に収納されている鮮魚保持体Ｂを凍結自動倉庫Ｓの外部に順次搬出する。
【００４２】
本実施形態では、管理コントローラＨＣは、物品収納棚１２に収納されている鮮魚保持体Ｂの全てが搬出されると搬出完了情報を作業者に報知する搬出完了報知処理を実行する。搬出完了報知処理では図示しない報知部（例えば、液晶モニターや回転灯など）を作動させる。
【００４３】
常温物凍結処理では、その処理過程において凍結処理対象物である鮮魚から水蒸気が大量に発生するため、冷凍室１の内部を循環する冷却空気に乗って大量の水蒸気が冷凍機３１にぶつかることになる。そのため、冷凍機３１の特に熱交換部３４には、霜が大量に付着して、常温物凍結処理は連続しては行えない。そこで常温物凍結処理を１回実行するごとに霜取り作業が必要となる。作業者により霜取スイッチＳＷ４がオン操作されると、管理コントローラＨＣは、クレーンコントローラＨ２に退避指令を指令し、これによりクレーンコントローラＨ２が上述の退避処理を実行する。クレーンコントローラＨ２は退避処理の実行を完了すると退避完了情報をクレーンコントローラＨ２に送信する。管理コントローラＨＣは、クレーンコントローラＨ２から退避完了情報を受信すると、エアカーテンコントローラＨ４に噴出開始指令を指令するとともに、冷凍機コントローラＨ１に霜取作動指令を指令する。以後、エアカーテンコントローラＨ４は、エアカーテン３０を噴出作動させた状態を維持するとともに、冷凍機コントローラＨ１は、冷凍機３１に付着した霜を水により融解させて除去するべく、散水装置３８を作動させる霜取処理を実行する。これにより、常温物凍結処理時に冷凍機３１に付着した霜が取り除かれる。
【００４４】
管理コントローラＨＣが備えるタイマー機能により管理コントローラＨＣが霜取作動指令を指令してからの経過時間が霜取り作業に必要な霜取り用の設定時間に達したか否かを判断し、設定時間に達していれば、エアカーテン３０の作動を停止させる噴出停止指令を指令するとともに、霜取処理の実行を停止させる霜取終了指令を指令する。これにより、エアカーテンコントローラＨ４は、エアカーテン３０の作動を停止させるとともに、冷凍機コントローラＨ１は、散水装置３８の作動を停止させる。
【００４５】
このように、本実施形態では、管理コントローラＨＣ、冷凍機コントローラＨ１、クレーンコントローラＨ２により、冷凍機３１及びスタッカークレーンＴの作動が制御され、これらのコントローラ及び前室空調コントローラＨ５が制御部として機能している。鮮魚Ｆを保持した鮮魚保持体Ｂを搬入するべくスタッカークレーンＴの作動を制御する常温物搬入処理をクレーンコントローラＨ２が実行し、搬入された鮮魚Ｆを保持する鮮魚保持体Ｂを凍結させるべく冷凍機３１の作動を制御する常温物凍結処理を冷凍機コントローラＨ１が実行し、凍結した鮮魚Ｆを保持する鮮魚保持体Ｂを搬出するべく、スタッカークレーンＴの作動を制御する凍結物搬出処理をクレーンコントローラＨ２が実行する。
【００４６】
クレーンコントローラＨ２が凍結物搬出処理を実行した後に、冷凍機３１に付着した霜を水により融解させて除去するべく、散水装置３８の作動を制御する霜取処理を冷凍機コントローラＨ１が実行し、このとき、冷凍機コントローラＨ１が霜取処理を実行する場合には、クレーンコントローラＨ２がスタッカークレーンＴを冷凍室１の外部に位置させる退避処理を実行する。
【００４７】
図８及び図９に示すフローチャートを参照しながら、水揚げされ選別された鮮魚Ｆを凍結自動倉庫Ｓにて凍結処理する場合の処理手順を管理コントローラＨＣの制御動作を中心に説明する。
図８及び図９に示すように、作業者が搬入指令スイッチＳＷ１をオン操作するまで待機状態となっている（ステップ＃１、以下単に＃１と略記する。）。このとき、直前の霜取り処理はすでに完了しており散水装置３８による散水は終了しているが、レールヒータ２３はオン状態で維持されている。これにより、霜取り処理完了後においても冷凍室１に残存する多湿空気や後に搬入される常温物である鮮魚Ｆから発生する水蒸気が、天井パネル３７に結露して上部レール２２や走行レール１７に滴下して氷となって付着したり、直接、上部レール２２や走行レール１７に接して霜や氷となって付着したりすることを防止している。
【００４８】
搬入指令スイッチＳＷ１がオン操作されると、常温物搬入処理が実行され、鮮魚保持体Ｂが倉庫外部から物品収納棚１２に順次搬入される（＃２）。鮮魚保持体Ｂの搬入が完了すると作業者が凍結スイッチＳＷ２をオン操作する（＃３）。これにより、クレーン退避処理（＃４）が実行され、エアカーテン３０の噴出作動が開始され（＃５）、冷凍機３１による常温物凍結処理が開始される（＃６）。
【００４９】
その後、冷凍室１の室温が低下するに伴って、前回の常温物凍結処理の後に行われた霜取処理による多湿空気が結露しても氷となることで、例えば、天井パネル３７から結露した雫が走行レール１７上に落下する等の問題が発生しなくなる。そこで、そのような結露により発生した水滴が凍るまでは、冷凍機３１の負荷にはなるがレールヒータ２３による加熱が必要であるとしてヒータオフタイミングを設定している。具体的には、常温物凍結処理が開始されてからレールヒータオフ用の設定時間が経過したタイミングをヒータオフタイミングとして、そのタイミングが到来するまではレールヒータ２３をオン状態に維持している。そして、常温物凍結処理により雫の落下の心配がない程度に雫が凍ったらレールヒータ２３の作動を停止する（＃８）。その後、常温物凍結処理が開始されてから凍結処理用の設定時間が経過したら冷凍機３１及びエアカーテン３０の作動を停止させる（＃１０、＃１１）
【００５０】
搬出指令スイッチＳＷ３がオン操作されると、凍結物搬出処理が実行され（＃１３）、凍結された鮮魚Ｆを保持する鮮魚保持体Ｂが物品収納棚１２から倉庫外部に順次搬出される（＃１３）。鮮魚保持体Ｂの搬出が完了すると作業者が霜取スイッチＳＷ４をオン操作する（＃１４）。これにより、クレーン退避処理（＃１５）が実行され、エアカーテン３０の噴出作動が開始され（＃１６）、散水装置３８による常温水の散水が開始される（＃１７）。これにより、冷凍機３１に付着した霜が融解して、散水装置３８が散水した水とともにドレンパン（図示せず）などに受け止められ排水溝から外部に排出される。なお、凍結が未完了の又は完了した鮮魚保持体Ｂが凍結処理領域１０に残っている状態で霜取スイッチＳＷをオン操作してもよいが、凍結が完了した鮮魚保持体Ｂは凍結物搬出処理により外部に搬出しておくことが好ましい。
【００５１】
冷凍室１の冷凍機３１の霜取りのために、散水装置３８が常温水を散布するので、霜取り処理時には冷凍室１の内部には大量の水蒸気が充満する。霜取り処理を実行するときは冷凍室１内の気温は、常温物凍結処理を行うときよりも高くなっているものの、氷点下であることに変わりない。そのため、霜取り処理時に発生した水蒸気が上部レール２２及び走行レール１７に付着して霜や氷となってしまったり、天井パネル３７に付着して結露した水滴が上部レール２２及び走行レール１７に落下してレール上面に凍り付いたりするおそれがある。
【００５２】
このようなレールへの霜や氷の付着が発生すると、その後の常温物搬入処理でスタッカークレーンＴにスリップや異常振動などが発生するおそれがあり問題となる。そこで、冷凍機３１の霜取り処理を行うときにレールヒータ２３を作動させて、レールへの霜等の付着を防止するようにしている。本実施形態では、散水装置３８の作動を開始してからヒータ作動開始用の設定時間が経過したときにレールヒータ２３をオンすべきタイミングであると判断して（＃１８）レールヒータ２３の作動を開始させる（＃１９）。これは、霜取り処理の初期のうちからレールヒータを作動させなくても、上部レール２２及び走行レール１７に付着した霜等は次の常温物搬入処理が実行されるまでに融解及び蒸発させることができるので、省電力のためにヒータ作動開始用の設定時間を設定している。
【００５３】
散水装置３８の作動を開始してから霜取り処理期間用の設定時間が経過したときに霜取り処理を終了すべきタイミングであると判断して（＃２０）、散水装置３８の作動を停止させ（＃２１）、エアカーテン３０の作動を停止させる。このとき、霜取り処理が終了してもレールヒータ２３は作動させておき、上記の通り、次のサイクルの常温物凍結処理が開始されてからレールヒータオフ用の設定時間が経過したタイミングをヒータオフタイミングとして、レールヒータ２３の作動を停止する（＃８）。このように、本実施形態では、霜取り処理の途中でレールヒータ２３の作動を開始させ、その後、常温物凍結処理の途中であって天井パネル３７から雫の落下の心配がない程度に雫が凍るまでレールヒータ２３の作動を継続させている。これにより省電力を図りながら、上部レール２２及び走行レール１７に霜や氷が付着することを防止している。
【００５４】
霜取り処理により発生する水蒸気により冷凍室１の内部には多湿空気が充満するが、前室用空調装置７で除湿されることになる。図５に示すように、前室用空調装置７は、前室２の内壁の上部、具体的には区画壁３の開口４における幅狭部２６に上下方向で対応する高さに設けられておおり、しかも開口４の幅広部２７においてはエアカーテン３０により空気が冷凍室１の内外に通流することを抑制されるので、前室用空調装置７は、冷凍室１の内部の空気を区画壁３の開口４における幅狭部２６を通過させて効果的に前室２側に吸引できる。なお、霜取り処理を行うときは、前室用空調装置７による除湿効果を向上させるためには、入出庫口６に設けられた開閉自在な扉を閉じ状態にしておくことが好ましい。
【００５５】
本実施形態では、漁港に水揚げされて魚種及び大きさに基づき選別された鮮魚は、大きさ及び種類別に鮮魚保持体ＢにトレーＰに保持させている。そして、サイズが大きな大型鮮魚を保持した鮮魚保持体Ｂから順に入出庫コンベヤに投入するようになっている。したがって、常温物搬入処理で移動経路Ｌの奥側から詰めていく方式で凍結処理領域１０に鮮魚保持体Ｂを搬入していくことで、大きさの大きい鮮魚ほど、移動経路Ｌで奥側に位置し、大きさの小さい鮮魚ほど、移動経路Ｌで手前側に位置することになる。小型鮮魚は、大型鮮魚よりも短時間で凍結するので、凍結処理対象の複数の鮮魚保持体Ｂの搬入が完了したのち、常温物凍結処理を開始してから、大型鮮魚が凍結されるまで待つことなく、小型鮮魚を保持した手前側の鮮魚保持体Ｂだけを搬出することができる。
【００５６】
この場合、管理コントローラＨＣは、凍結処理領域１０に配置された鮮魚保持体Ｂのうち、最も手前側の鮮魚保持体Ｂから指定された個数だけ順次搬出する先行搬出処理を行うことになる。先行搬出処理を行う場合は、凍結が完了した鮮魚Ｆを保持している鮮魚保持体Ｂが配置されている箇所に対応する冷凍機３１を停止させる部分停止処理を実行する。これにより、スタッカークレーンＴに冷却空気が直接吹き付けられることを回避できる。
【００５７】
〔第２実施形態〕
次に、常温物搬入処理、常温物凍結処理及び凍結物搬出処理の別の形態について説明する。以下の説明では第１実施形態と異なる部分を中心に説明し、第１実施形態と同様の構成については説明を省略する。
本実施形態では、管理コントローラＨＣは、搬入対象の鮮魚保持体ＢをホームポジションＨＰに近い側の収納部１１から優先して順次搬入していくようにスタッカークレーンＴの作動を制御する。また、管理コントローラＨＣは、凍結が完了した鮮魚保持体Ｂだけを搬出する任意搬出処理を行うべく、クレーンコントローラＨ２に任意搬出指令を指令する。さらに、管理コントローラＨＣは、選択凍結処理の実行中に空き状態の収納部１１に対して新たな鮮魚保持体Ｂを入庫する途中搬入処理を行うべく、クレーンコントローラＨ２に途中搬入指令を指令する。
【００５８】
冷凍室１は、移動経路Ｌの長手方向に並ぶ複数の領域に区分けされており、一つの領域に対して単数又は複数の冷凍機３１が、その領域に対応して設けられている。管理コントローラＨＣは、複数の領域のうち収納部１１に鮮魚保持体Ｂが収納されていない領域が存在する場合は、全ての領域の冷凍機３１を作動させるのではなく、鮮魚保持体Ｂが収納されている収納部１１が存在する領域に対応する冷凍機３１を凍結作動させるべく、選択凍結指令を冷凍機コントローラＨ１に指令する。冷凍機コントローラＨ１は、選択凍結指令にて指令される複数又は単一の凍結対象領域に対応する冷凍機３１だけを作動させる選択凍結処理を実行する。
【００５９】
本実施形態では、移動経路Ｌに沿って並ぶ複数の領域のうち、ホームポジションＨＰに最も近い領域における収納部１１から優先して鮮魚保持体Ｂを搬入する。つまり、任意搬出処理により、ある領域における全ての収納部１１が空き状態となった場合、途中搬入指令が指令されると、クレーンコントローラＨ２は、上記のような後発的に空状態となった領域も含めた全ての空き状態の領域のうちホームポジションＨＰに最も近い領域が搬入対象の領域として選択される。
【００６０】
管理コントローラＨＣは、指令済みの選択凍結指令に係る選択凍結処理が完了すると、当該選択凍結処理の対象であった領域における収納部１１に収納されている鮮魚保持体Ｂを搬出するべく、任意搬出指令をクレーンコントローラＨ２に指令する。クレーンコントローラＨ２は、任意搬出指令が指令されると、選択凍結処理が完了した領域における収納部１１から鮮魚保持体Ｂを取り出し入出庫口６まで順次搬送させるべく、任意搬出処理を実行してスタッカークレーンＴの作動を制御する。このとき、任意搬出処理の対象となっている領域と入出庫口６との間に別の選択凍結処理が行われている領域が存在する場合は、スタカークレーンＴが当該別の選択凍結処理が行われている領域を通過する形態で移動経路Ｌを走行することになる。
【００６１】
任意搬出処理が完了すると、当該任意搬出処理の対象となっていた領域に対応する冷凍機３１に付着している霜を取り除くべく、管理コントローラＨＣは、部分霜取指令を指令する。本実施形態では、冷凍機コントローラＨ１は、散水装置３８における複数の散水ノズル３９の散水作動を各別に制御できるように構成されており、部分霜取指令が指令されると、冷凍機コントローラＨ１は、部分霜取処理を実行して、当該部分霜取指令にて指定された領域に対応する冷凍機３１に対して散水する散水ノズル３９だけを散水作動させるべく、散水装置３８の作動を制御する。
【００６２】
本実施形態では、移動経路Ｌの長手方向に分散配置する状態で複数の仕切体が移動経路Ｌを開閉自在に設けられており、部分霜取処理を実行する場合は、冷凍機コントローラＨ２は、鮮魚保持体Ｂが存在しない領域が前室２に最も近い領域（以下、前室側端部領域という。）に最大数連続して連通する前室連通状態となるように複数の仕切体の開閉を制御する。前室側端部領域が選択凍結処理の実行中である場合は、前室連通状態にはされず、霜取り処理は保留される。そして、当該端部の領域について選択凍結処理及びその後の任意搬出処理が完了した後に、前室連通状態とした上で部分霜取処理が行われる。これにより、部分霜取処理時に発生する多湿空気を開口４の幅狭部２６を通して除湿することができる。
【００６３】
このように本実施形態では、冷凍室１を複数の領域に区分けして、各領域で各別に鮮魚保持体Ｂを凍結させ、凍結が完了した領域から鮮魚保持体Ｂを搬出することができるので、使い勝手がよいだけでなく、ランニングコストも抑制できる。
〔別の実施形態〕
以上、発明者によってなされた発明を発明の実施形態に基づき具体的に説明したが、本発明は上記実施形態に限定されるものではなく、その要旨を逸脱しない範囲で種々変更可能である。以下、本発明の別実施形態を例示する。
【００６４】
（１）上記実施形態では、連通用開口を通過用開口と兼用するもの、つまり、開口４の上部の幅狭部２６を通して、霜取り処理時に前室用空調装置７にて水蒸気を前室２側に吸引して除湿する構成を示したが、開口４とは別に、霜取り時に除湿対象の冷凍室１内の多湿空気を通流させる連通用開口としての除湿用幅狭開口５４を区画壁３に別途設けてよい。例えば、図１２に示すように、第１実施形態において区画壁３における移動経路Ｌの幅方向で冷凍機３１に対応する箇所に除湿用幅狭開口５４を形成することが好ましい。除湿用幅狭開口５４には、冷凍室１と前室２とを連通させる開状態と遮断する閉状態とに切り換え自在に構成された除湿用開閉体５５が設けられている。除湿用開閉体５５は、霜取処理が実行されるときに開状態となり、常温物凍結処理を実行するときは閉状態となる。区画壁３に除湿用幅狭開口５４を形成する場合は、前室用空調装置７は、前室２の図１２の紙面下側に位置する壁に設置することで除湿用幅狭開口５４の近傍に設置することができ、除湿効果の更なる向上が期待できる。
【００６５】
（２）上記実施形態では、管理コントローラＨＣが、凍結処理が設定時間だけ継続したかを判別し、常温物凍結処理の実行を停止させる凍結終了指令を冷凍機コントローラＨ１に指令するものを例示したが、常温物凍結処理の実行を停止させる凍結停止指令を、作業者が凍結スイッチＳＷ２をオフ操作することで指令できるように構成してもよい。
【００６６】
（３）上記実施形態では、スタッカークレーンＴの移動経路Ｌの片側に凍結処理領域１０が設定されたものを例示したが、これに代えて、例えば図１０及び図１１に示すように、移動経路Ｌの両側に一対の凍結処理領域１０が設定されたものであってもよい。図１１及び図１５においては、一対の凍結処理領域１０の夫々に設けられる物品収納棚１２は、棚奥行き方向に収納部１１を１個配列したいわゆるシングルディープ構造の棚となっている。このように、一対の凍結処理領域１０の間に移動経路Ｌが設けられる場合、凍結処理領域１０と上部流路３６とを区画する天井パネル３７は、スタッカークレーンＴの走行方向視で一対の凍結処理領域１０の並び方向で移動経路Ｌが位置する部分が最も高く、両側に移動経路Ｌから遠ざかるほど低くなるように構成されている。また、入出庫コンベヤ５として一対のコンベヤを設けている。これらのコンベヤは入庫用及び出庫用として専用に設定してもよいし、双方とも入出庫兼用に設定してもよい。
【００６７】
（４）上記実施形態では、冷凍機３１における熱交換部３４の上端部に横軸心周りで回転する循環気流生成用の送風ファン３５を取り付けたものを例示したが、循環気流生成用の送風ファンとして縦軸心周りで回転するものを採用してもよい。この場合、冷凍機３１と外壁との間に形成される空間の好ましくは中間高さよりも上方側に配設することになる。
【００６８】
（５）上記実施形態では、融解装置が、水を散布して霜を融解させて除去する散水装置にて構成されたものを例示したが、これに代えて、電気式のヒータにより構成してもよい。
【００６９】
（６）上記実施形態では、前室用空調装置が熱交換により冷却することで前室の空気を除湿するものを例示したが、これに限らず、例えば、圧縮することで前室の空気を除湿するものや、水分を吸収しやすい液体に空気を接触させることにより除湿を行うもの等、種々の除湿方式を採用することが可能である。
【００７０】
（７）上記実施形態では、鮮魚保持体が、ラックＲ、及び、鮮魚Ｆを収容した状態でラックＲの棚部１４に載置支持されるトレーＰとで構成されたものを例示したが、これに限らず、鮮魚Ｆを収容するダンボール箱と、これを載置支持するラックとで構成されたものであってもよい。これら異なるタイプの鮮魚保持体は混在する状態で物品収納棚に収納されることも考えられる。
【００７１】
（８）上記実施形態では、搬送装置が、移動経路に沿って走行自在でかつ前後一対の昇降マストが立設された走行台車と昇降マストに沿って昇降自在な昇降台とを備えたスタッカークレーンにて構成されたものを例示したが、搬送装置の構成は適宜変更可能である。例えば、単一の昇降マストを備えたものや、昇降マストを備えない物品搬送台車であってもよい。さらに、天井に配設された天井レールに沿って走行自在な天井搬送車であってもよい。天井搬送車は、天井レールに沿って走行自在な天井走行部と、この天井走行部に昇降自在に設けられたホイスト昇降部を備えたものが好ましい。ホイスト昇降部は、物品を吊下げ支持する。つまり、天井搬送車はホイスト昇降部にて物品を吊下げ支持した状態で搬送する。そのため、通過用開口は、区画壁の上下方向で天井寄りの部分に、物品支持状態の天井搬送車が通過できる程度の上下方向の長さで形成されることになる。
【００７２】
（９）上記実施形態では、複数の散水ノズル３９が、散水用の水を供給する供給管に支持されているものを例示したが、これに限らず、散水ノズル３９が冷凍機３１に支持されているもの等、散水装置の具体的形態は種々のものを採用できる。
【００７３】
（１０）上記実施形態では、上部レールヒータ２４及び下部レールヒータ２５の作動が共通のヒータコントローラＨ３にて同様に制御されるものを例示したが、これに代えて、例えば夫々のヒータの加熱作動時間を異ならせる等、上部レールヒータ２４及び下部レールヒータ２５の加熱開始タイミング及び加熱終了タイミングを各別に制御してもよい。また、上部レールヒータ２４の作動を制御する上部レールヒータ用コントローラと、下部レールヒータ２５の作動を制御する下部レールヒータ用コントローラの夫々を設けてもよい。
【００７４】
（１１）上記実施形態では、レールヒータが帯状のテープヒータにて構成されたものを例示したが、これに限らず複数の電熱線にて構成されたヒータ等、種々の形態のヒータを採用できる。また、レールヒータの配置箇所についても、例えば、上記実施形態において走行レール１７の両側面の一方のみに配設したり上部レール２２の両側面に配設する等、種々変更可能である。
【符号の説明】
【００７５】
１        ：冷凍室
２        ：前室
３        ：区画壁
４        ：通過用開口、連通用開口
７        ：前室用空調装置
１８      ：走行台車
１９      ：昇降マスト
２０      ：昇降台
２６      ：幅狭部
２７      ：幅広部
３０      ：空気通流抑制装置
３１      ：冷凍機
３８      ：融解装置
５４      ：連通用開口
Ｂ        ：物品、常温物保持体
Ｆ        ：常温物
ＨＣ・Ｈ１・Ｈ２・Ｈ５  ：制御部
Ｌ        ：移動経路
Ｔ        ：搬送装置、スタッカークレーン
【図１】
0005821779.tif 000002
【図２】
0005821779.tif 000003
【図３】
0005821779.tif 000004
【図４】
0005821779.tif 000005
【図５】
0005821779.tif 000006
【図６】
0005821779.tif 000007
【図７】
0005821779.tif 000008
【図８】
0005821779.tif 000009
【図９】
0005821779.tif 000010
【図１０】
0005821779.tif 000011
【図１１】
0005821779.tif 000012
【図１２】
0005821779.tif 000013